(57)【要約】 【課題】  壁面を汚染することなく長時間の使用が可能で、かつ効率よく室内外の換気ができる壁面通気ダクトを提供する。【解決手段】  この壁面通気ダクト５１は、室内外を連通する筒状の通気ダクト本体５７と、この通気ダクト本体５７の室内側端縁６１から離間して設けられ、室内側から見たときに少なくとも通気ダクト本体５７の内部が見えない大きさの遮蔽板６７と、通気ダクト本体５７の室内側端縁６１から、半径方向外方に拡径するフランジ部６３と、このフランジ部６３外縁から室内方向に向かって突出するとともに、遮蔽板６７より大径になされ遮蔽板６７の外縁７３と離間して配設された筒状のフード部６５とを備え、フード部６５の前端７１が遮蔽板６７より室内側に突出して形成している。【選択図】  図１
2005180767.tif 000002
【特許請求の範囲】
【請求項１】
室内空間と室外空間を連通する筒状の通気ダクト本体と、
この通気ダクト本体の軸線方向視において、前記通気ダクト本体の室内側開口を被う位置に、この室内側開口から離間して配設された遮蔽板と、
前記通気ダクト本体の室内側開口の縁部から拡径し室内方向に向かって延出して前記遮蔽板を取り囲む拡径部と、
を備え、
この拡径部の延出方向前端が前記遮蔽板より室内側に突出していることを特徴とする壁面通気ダクト。
【請求項２】
前記拡径部は、前記通気ダクト本体の室内側開口の縁部から半径方向外方に拡径するフランジ部と、このフランジ部外縁から室内方向に向かって延出し前記遮蔽板を取り囲む筒状の大径筒部と、を有していることを特徴とする請求項１に記載の壁面通気ダクト。
【請求項３】
前記遮蔽板には、照明具、ディスプレー、スピーカ、時計、インターホンのうち少なくとも１つが設けられていることを特徴とする請求項１記載の壁面通気ダクト。
【発明の詳細な説明】
【技術分野】
【０００１】
本発明は壁面に設けられ室内外の通気を図る壁面通気ダクトに関するものである。
【背景技術】
【０００２】
近年、気密性の高いコンクリート住宅が増加するにしたがい、密閉された室内の空気を速やかに外気と換気する必要性が高まってきている。また、シックハウス症候群対策を目的として、平成１５年７月１日より建築基準法が改正され、機械換気設備の設置が義務付けられている。このようなことから従来多くの壁面通気ダクトが開発されている。
【０００３】
これら壁面通気ダクトは、室内外を空間的に連結するものであるため、この通気ダクトを通して室内が覗かれ、プライバシーが侵害されるおそれがある。そこで、近年かかる欠点を解消すべく、図３及び図４に示すような壁面通気ダクトが開発されている。
【０００４】
この壁面通気ダクト１１は、住宅等の壁面に形成された通気孔１３に挿入される筒状の通気ダクト本体１５を有している。この通気ダクト本体１５の室内側開口縁には、室内に向かって拡径する拡径部１７が形成されている。また、通気ダクト本体１５の室内側開口１９の前面には遮蔽板２１が配置されている。この遮蔽板２１は、その遮蔽板２１の外縁２３が開口１９の開口縁２５から離間するように配置されており、遮蔽板側部に空気吐出口２７が形成されている。また、この遮蔽板２１は、軸方向から見たときに通気ダクト本体１５の開口１９を被う位置に配置されており、室内が覗かれないようになっている。
【０００５】
このような壁面通気ダクト１１において、外気は矢印２９のように通気ダクト本体１５内に導入され、遮蔽板２１の外縁２３と通気ダクト本体１５の開口縁２５との間の空気吐出口２７から室内に吐出される。
【０００６】
しかしながら、この壁面通気ダクト１１にあっては、通気ダクト本体１５を通過してきた空気が矢印３１に示すように遮蔽板２１の周縁部に当たって跳ね返るため、外気が壁面３３吹き付けられる。このため、このようなダクトを長時間使用すると、壁面３３が汚れてくるという問題点があった。
【発明の開示】
【発明が解決しようとする課題】
【０００７】
本発明は上記問題を解決すべくなされたものであって、壁面を汚染することなく長時間の使用が可能で、かつ効率よく室内外の換気ができる壁面通気ダクトを提供することを目的としている。
【課題を解決するための手段】
【０００８】
請求項１に記載の発明は、室内空間と室外空間を連通する筒状の通気ダクト本体と、この通気ダクト本体の軸線方向視において、前記通気ダクト本体の室内側開口を被う位置に、この室内側開口から離間して配設された遮蔽板と、前記通気ダクト本体の室内側開口の縁部から拡径し室内方向に向かって延出して前記遮蔽板を取り囲む拡径部とを備え、この拡径部の延出方向前端が前記遮蔽板より室内側に突出していることを特徴とする。
【０００９】
請求項２に記載の発明は、前記拡径部は、前記通気ダクト本体の室内側開口の縁部から半径方向外方に拡径するフランジ部と、このフランジ部外縁から室内方向に向かって延出し前記遮蔽板を取り囲む筒状の大径筒部とを有していることを特徴とする。
【００１０】
また、前記通気ダクト本体内径の流体通過断面と、前記遮蔽板と前記フランジ部との間の流体通過断面積と、前記遮蔽板と前記大径筒部との間の流体通過断面積とは、略同一になされていることが好ましい。
【００１１】
請求項３に記載の発明は、前記遮蔽板には、照明具、ディスプレー、スピーカ、時計、インターホンのうち少なくとも１つが設けられていることを特徴とする。
【発明の効果】
【００１２】
請求項１に記載の発明によれば、室外からの空気を壁面通気ダクトの軸方向前方に吹き出すことが可能であり、従って壁面が汚染されることを防止することができる。
【００１３】
請求項２に記載の発明によれば、拡径部の構造を容易に実現することができる。
【００１４】
請求項３に記載の発明によれば、通気ダクト内を通過する空気によって照明器具を効率良く冷却することができるとともに空気を適度に暖めることができ、また壁面の有効活用が可能になる。
【発明を実施するための最良の形態】
【００１５】
以下、本発明に係る壁面通気ダクトの実施の形態について、図１及び図２を参照して詳細に説明する。
【００１６】
図１及び図２は、本発明に係る壁面通気ダクト５１を示すものである。この壁面通気ダクト５１は、壁部５３に形成された通気孔５５に挿入されて配置された通気ダクト本体５７を有している。この通気ダクト本体５７は、筒状に形成されており、その室外側に室外側開口５９が形成されるている。また、この通気ダクト本体５７の室内側端縁６１には、半径方向外方へ延びるフランジ部６３が形成されている。このフランジ部６３は、図２に示すように、方形状に形成されており、この方形状のフランジ部６３外周縁には、大径になされた筒状のフード部６５が形成されている。このフード部６５も、図２に示すように、正面視方形になるように形成されている。
【００１７】
このフード部６５の内側には、方形の遮蔽板６７が支柱６９を介してフランジ部６３に固定されている。この遮蔽板６７は、図２に示すように、室内側から見たときに、少なくとも通気ダクト本体５７の内部を被う大きさの方形になされており、室外から室内が覗けないようになっている。
【００１８】
また、この遮蔽板６７は、フード部６５の前端７１から所定距離Ｌだけ室外側に離間した位置に配置されている。即ち、フード部６５の前端７１は、遮蔽板６７よりＬだけ突出している。このような構成にすることによって、フード部６５と遮蔽板６７の外縁７３との間から室内へ吐出される空気は室内へ向かって前方へ流れることになり、壁部５３側へ回り込むことを防止できる。
【００１９】
このような構成において、通気ダクト本体５７の室外側開口５９から導入された空気は、矢印Ａ１に示すように通気ダクト本体５７内を流れる。そして、この空気は、矢印Ａ２に示すように、フランジ部６３と遮蔽板６７の外縁７３との間を通過し、フード部６５と遮蔽板６７の外縁７３との間を通過して室内へ供給される。ここで、通気ダクト本体５７の室外側開口５９の流体通過断面積Ｓ１と、フランジ部６３と遮蔽板６７の外縁７３との間の流体通過断面積Ｓ２と、フード部６５と遮蔽板６７の外縁７３との間の流体通過断面積Ｓ３とは、略等しくなるようになされている。
【００２０】
このように、この壁面通気ダクト５１は、室内外を連通する筒状の通気ダクト本体５７と、この通気ダクト本体５７の室内側端縁６１から離間して設けられ、室内側から見たときに少なくとも通気ダクト本体５７の内部が見えない大きさの遮蔽板６７と、通気ダクト本体５７の室内側端縁６１から、半径方向外方に拡径するフランジ部６３と、このフランジ部６３外縁から室内方向に向かって突出するとともに、遮蔽板６７より大径になされ遮蔽板６７の外縁７３と離間して配設された筒状のフード部６５とを備え、フード部６５の前端７１が遮蔽板６７より室内側に突出しているから、フード部６５と遮蔽板６７の外縁７３との間から室内へ吐出される空気は室内へ向かって前方へ流れる。従って、室内へ吐出される空気が壁部５３の壁面７５に当たることを防止することができ、壁面の汚れを防止することができる。
【００２１】
また、通気ダクト本体５７の室外側開口５９の流体通過断面積Ｓ１と、フランジ部６３と遮蔽板６７の外縁７３との間の流体通過断面積Ｓ２と、フード部６５と遮蔽板６７の外縁７３との間の流体通過断面積Ｓ３とは、略等しくなるようになされているから、圧力損失を低く抑えることができ、換気を効率よく速やかに行うことができる。また、流体通過断面積が不必要に小さくなることがないめ、ダクト内の空気の流速を比較的低く抑えることができ、従ってダストを不必要に巻き込むことを防止することができる。
【００２２】
なお、上記実施の形態においては、遮蔽板６７には特に何も設けていないが、この部分に照明器具を装着することもできる。このようにすれば、壁面を効率良く利用することができるばかりでなく、通気ダクト内を通過する空気によって照明器具を効率良く冷却することができるとともに、ダクト内を通過する空気を適度に暖めることができる。
【００２３】
また、この他にも、遮蔽板６７前面に、絵画、液晶ディスプレイ、時計、音響用スピーカ、インターホン端末等を装備することもでき、壁面を有効に利用することができる。
【図面の簡単な説明】
【００２４】
【図１】本発明に係る壁面通気ダクトの一実施の形態を示す断面図。
【図２】図１に示す壁面通気ダクトの正面図。
【図３】従来の壁面通気ダクトを示す断面図。
【図４】図３に示す壁面通気ダクトの正面図。
【符号の説明】
【００２５】
５１  壁面通気ダクト
５７  通気ダクト本体
６１  室内側端縁
６３  フランジ部
６５  フード部
６７  遮蔽板
７１  前端
【図１】
2005180767.tif 000003
【図２】
2005180767.tif 000004
【図３】
2005180767.tif 000005
【図４】
2005180767.tif 000006